(57)【要約】      （修正有）【課題】コストを上昇させることなく、カーテンの外観の美しさを損なわせないカーテンレールを提供する。【解決手段】ポール１００および飾り部材２００を含む。ポール１００は、ランナーを配置し、縦方向に延伸する軌道溝１０１を一方の側面に設け、嵌合表面１０２をもう一方の側面に設けている。飾り部材２００は、嵌合部１１０に対応する嵌合溝２１０を一方の側面に設け、嵌合溝２１０を縦方向に沿って延伸させている。嵌合部１１０は離脱可能状態でスライドするように嵌合溝２１０内に配置され、飾り部材２００にポール１００を離脱可能状態で嵌合させている。嵌合部１１０によりポール１００が飾り部材２００を嵌合固定するため、ポール１００が完全に飾り部材２００により覆い隠され、露出することがない。また、カーテンの外観に合わせて適切な飾り部材２００を選択すると、さらに美しくすることができる。【選択図】図１
0003200297.tif 000002
【実用新案登録請求の範囲】
【請求項１】
複数のランナーがスライドするように設けられているカーテンレールであって、
前記ランナーを配置し、縦方向に延伸する軌道溝を一方の側面に設け、嵌合表面をもう一方の側面に設けているポールと、  
嵌合部に対応する嵌合溝が一方の側面に設けられ、前記嵌合溝は縦方向に沿って延伸している飾り部材と、を含み、
前記嵌合部は離脱可能状態でスライドするように前記嵌合溝内に配置され、前記飾り部材に前記ポールを離脱可能状態で嵌合させることを特徴とするカーテンレール。
【請求項２】
前記嵌合溝は、あり溝で、前記嵌合部は前記あり溝に対応するありほぞであることを特徴とする請求項１に記載のカーテンレール。
【請求項３】
前記嵌合部は、間隔を空けて配置される少なくとも一対の突条を有し、前記一対の突条は前記ポールから広がるように延伸し、前記ポール上で前記ポールに沿って縦方向に相互に平行に延伸していることを特徴とする請求項１に記載のカーテンレール。
【請求項４】
前記突条は、離脱可能状態で対応する前記嵌合溝内にスライドするようにそれぞれ配置されることを特徴とする請求項３に記載のカーテンレール。
【請求項５】
前記ポールは、前記ポールに沿って縦方向に延伸する嵌合表面を設け、前記嵌合部は嵌合表面に突設されていることを特徴とする請求項１に記載のカーテンレール。
【請求項６】
前記飾り部材は、前記嵌合表面を覆い隠すことを特徴とする請求項５に記載のカーテンレール。
【請求項７】
前記飾り部材は、前記嵌合表面の辺縁を超えていることを特徴とする請求項５に記載のカーテンレール。
【考案の詳細な説明】
【技術分野】
【０００１】
本考案は、カーテンレールに関し、特に、交換可能な飾り部材を有するカーテンレールに関する。
【背景技術】
【０００２】
カーテンレールは、カーテンが掛けられ、機能性を重視した部品であるが、外観のデザインにはこだわっていないのが普通であるため、カーテンの外観の完全性を損ねてしまう。そのため、カーテンレールを隠す工夫をするのが一般的だが、コストが上昇してしまうという短所があった。
【先行技術文献】
【特許文献】
【０００３】
【特許文献１】登録実用新案第３０１９４１４号公報
【考案の概要】
【考案が解決しようとする課題】
【０００４】
本考案の目的は、コストを上昇させることなく、カーテンの外観の美しさを損なわせないカーテンレールを提供することにある。
【課題を解決するための手段】
【０００５】
上述の目的を達成するため、本考案は、カーテンレールを提供する。本考案のカーテンレールは、ポール１００および飾り部材２００を含む。ポール１００は、ランナー１０を配置し、縦方向に延伸する軌道溝１０１を一方の側面に設け、嵌合表面１０２をもう一方の側面に設けている。飾り部材２００は、嵌合部１１０に対応する嵌合溝２１０を一方の側面に設け、嵌合溝２１０を縦方向に沿って延伸させている。嵌合部１１０は離脱可能状態でスライドするように嵌合溝２１０内に配置され、飾り部材２００に前記ポール１００を離脱可能状態で嵌合させている。嵌合部１１０によりポール１００が飾り部材２００を嵌合固定するため、ポール１００が完全に飾り部材２００により覆い隠され、露出することがない。また、カーテンの外観に合わせて適切な飾り部材２００を選択すると、従来技術よりさらに美しくすることができる。
【考案の効果】
【０００６】
本考案のカーテンレールは、嵌合部によりポール１００が飾り部材を嵌合固定するため、ポールが完全に飾り部材により覆い隠され、露出するのを防ぎことができる。ない。また、カーテンの外観に合わせて適切な飾り部材を選択すると、従来技術よりさらに美しくすることができる。
【図面の簡単な説明】
【０００７】
【図１】本考案の一実施形態によるカーテンレールの分解斜視図である。
【図２】本考案の一実施形態によるカーテンレールの斜視図である。
【図３】本考案の一実施形態によるカーテンレールの使用状態を示す斜視図である。
【図４】本考案の一実施形態によるカーテンレールの断面図である。
【図５】本考案の一実施形態によるカーテンレールの使用状態を示す断面図である。
【図６】本考案の嵌合部のもう一つの形態を断面図である。
【図７】本考案の飾り部材のもう一つの形態を断面図である。
【図８】本考案の嵌合溝のもう一つの形態を断面図である。
【考案を実施するための形態】
【０００８】
以下、本考案の実施形態を図面に基づいて説明する。
【０００９】
図１〜５を参照する。図１は、本考案の一実施形態によるカーテンレールの分解斜視図である。図２は、本考案の一実施形態によるカーテンレールの斜視図である。図３は、本考案の一実施形態によるカーテンレールの使用状態を示す斜視図である。図４は、本考案の一実施形態によるカーテンレールの断面図である。図５は、本考案の一実施形態によるカーテンレールの使用状態を示す断面図である。図１〜５に示すように、本考案のカーテンレールは、壁面に配置され、カーテン２０を吊り下げるのに用いる複数のランナー１０がスライドするように設けられている。本実施形態において、カーテンレールは、ポール１００および飾り部材２００を含む。
【００１０】
ポール１００は、金属管であるのが好適だが、これに限定されるものではない。ポール１００は、ポール１００に沿って縦方向に延伸する軌道溝１０１を一方の側面に設けている。軌道溝１０１は、ランナー１０を配置するのに用いられている。複数のランナー１０は、それぞれ軌道溝１０１上にスライドするように接続し、ポール１００に沿ってスライドする。ポール１００は、ポール１００沿って縦方向に延伸する嵌合表面１０２をもう一方の側面に設けている。本実施形態において、ポール１００が壁面に水平に配置され、軌道溝１０１が開口部が下向きに配置され、嵌合表面１０２が直立して配置されているのが好適である。嵌合表面１０２上には、間隔を空けて配置される少なくとも一対の突条１１１を有する嵌合部１１０が突設されている。一対の突条１１１は、ポール１００に沿って嵌合表面１０２上で縦方向に相互に延伸している。また、一対の突条１１１は、嵌合表面１０２上に突設され、広がるように延伸している。
【００１１】
図６は、本考案の嵌合部のもう一つの形態を断面図である。図６に示すように、嵌合部１１０の形態は、これに限定されるものではなく、ありほぞ溝１１０ａでもよい。ありほぞ１１０ａは、隔てられた一対の突条１１１を有する。一対の突条１１１は、ポール１００に沿って嵌合表面１０２上で縦方向に相互に平行して延伸している。また、一対の突条１１１は、嵌合表面１０２上に突設され、広がるように延伸している。
【００１２】
飾り部材２００は、扁平で長い形であるのが好適である。飾り部材２００の一方の面は、デザインを有する外部表面２０１で、外部表面２０１に相対するもう一方の面は、接触面２０２である。飾り部材２００の接触面２０２上には、嵌合部１１０に対応する嵌合溝２１０が設けられ、嵌合溝２１０は、飾り部材２００の縦方向に沿って延伸している。嵌合溝２１０は、嵌合部１１０を内部に対応するように嵌合している。本実施形態において、嵌合溝２１０は、あり溝２１０ａの形態であるのが好適である。嵌合部１１０は、離脱可能状態でスライドするように嵌合溝２１０内に配置され、飾り部材２００にポール１００を嵌合させる。また、飾り部材２００は、嵌合溝２１０に縦方向に沿って引き抜かれると、ポール１００から離脱する。
【００１３】
図７は、本考案の飾り部材のもう一つの形態を断面図である。図７に示すように、本実施形態において、飾り部材２００のサイズは、嵌合表面１０２の辺縁と相互に対応し、嵌合表面１０２を覆い隠しているが、これに限定されるものではない。例えば、嵌合表面１０２の辺縁を超えてもよく、ポール１００をさらに覆い隠す効果が得られる。図８は、本考案の嵌合溝のもう一つの形態を断面図である。図８に示すように、本実施形態において、嵌合溝２１０の形態に限定されるものではなく、例えば、図８のような形態でもよく、突条１１１は、離脱可能状態でスライドするように対応する嵌合溝２１０内に配置される。
【００１４】
本考案のカーテンレールは、嵌合部１１０によりポール１００が飾り部材２００を嵌合固定するため、ポール１００が完全に飾り部材２００により覆い隠され、露出することがない。また、カーテンの外観に合わせて適切な飾り部材２００を選択すると、従来技術よりさらに美しくなることができる。
【００１５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１６】
１０  ランナー
２０  カーテン
１００  ポール
１０１  軌道溝
１０２  嵌合表面
１１０  嵌合部
１１０ａ  ありほぞ
１１１  突条
２００  飾り部材
２０１  外部表面
２０２  接触面
２１０  嵌合溝
２１０ａ  あり溝
【図１】
0003200297.tif 000003
【図２】
0003200297.tif 000004
【図３】
0003200297.tif 000005
【図４】
0003200297.tif 000006
【図５】
0003200297.tif 000007
【図６】
0003200297.tif 000008
【図７】
0003200297.tif 000009
【図８】
0003200297.tif 000010